(57)【要約】【課題】特に、安定した光学特性を備える液晶表示装置を提供することを目的とする。【解決手段】本発明の液晶表示装置（１０）は、対向基板（１１ａ）及びＴＦＴ基板（１１ｂ）と、基板の間に配置された液晶層（１１ｃ）と、を有する液晶表示パネル（１１）と、液晶表示パネル（１１）の裏面側に配置された導光板（１２）と、対向基板（１１ａ）と、導光板（１２）との間を封止するシール部材（１５）と、ＴＦＴ基板（１１ｂ）と導光板（１２）との間に配置される量子ドット含有シート（１）と、を有し、量子ドット含有シートは、シール部材により封止されていることを特徴とする。【選択図】図１
2018081195.tif 000002
【特許請求の範囲】
【請求項１】
第１基板及び第２基板と、前記第１基板及び前記第２基板の間に配置された液晶層と、を有する液晶表示パネルと、
前記液晶表示パネルの前記第２基板側に配置された裏面部材と、
前記第１基板と、前記裏面部材との間を封止するシール部材と、
前記第２基板と前記裏面部材との間に配置される量子ドット含有部材と、を有し、
前記量子ドット含有部材は、前記シール部材により封止されていることを特徴とする液晶表示装置。
【請求項２】
共通の前記シール部材により、前記液晶層と前記量子ドット含有部材とが、封止されていることを特徴とする請求項１に記載の液晶表示装置。
【請求項３】
第１基板及び第２基板と、前記第１基板及び前記第２基板の間に配置された液晶層と、を有する液晶表示パネルと、
前記液晶表示パネルの前記第２基板側に配置された裏面部材と、
前記第２基板と、前記裏面部材との間を封止するシール部材と、
前記第２基板と前記裏面部材との間に配置される量子ドット含有部材と、を有し、
前記量子ドット含有部材は、前記シール部材により封止されていることを特徴とする液晶表示装置。
【請求項４】
前記第２基板と前記裏面部材との間には、偏光部材、光拡散部材及び輝度向上部材のうち、少なくともいずれか一つの光学部材が、前記量子ドット含有部材とともに、封止されていることを特徴とする請求項１から請求項３のいずれかに記載の液晶表示装置。
【請求項５】
前記光学部材は、少なくとも、前記偏光部材を含むことを特徴とする請求項４に記載の液晶表示装置。
【請求項６】
前記偏光部材は、偏光板と、前記偏光板の表面に積層された輝度向上フィルムと、を有することを特徴とする請求項４又は請求項５に記載の液晶表示装置。
【請求項７】
前記裏面部材は、導光板であり、
前記第２基板と前記導光板との間に、偏光板、及び、前記偏光板の表面に積層された輝度向上フィルムと、前記量子ドット含有部材と、を含み、
前記量子ドット含有部材、前記偏光板、及び前記輝度向上フィルムが、前記シール部材により封止されていることを特徴とする請求項１から請求項６のいずれかに記載の液晶表示装置。
【請求項８】
第１基板及び第２基板と、前記第１基板及び前記第２基板の間に配置された液晶層と、を有する液晶表示パネルと、
前記第１基板と、前記第２基板との間を封止するシール部材と、
前記第１基板と前記２基板との間に配置される量子ドット含有部材と、を有し、
前記量子ドット含有部材は、前記シール部材により封止されていることを特徴とする液晶表示装置。
【発明の詳細な説明】
【技術分野】
【０００１】
本発明は、液晶表示装置に関する。
【背景技術】
【０００２】
例えば、下記の特許文献には、液晶表示装置に関する発明が開示されている。特許文献１には、基板間に液晶が注入されてなる液晶表示パネルの裏面側に光学フィルムを貼り合わせ、光学フィルムの裏面側にバックライトを配置した液晶表示装置が開示されている。また、特許文献２に記載の発明では、液晶表示パネルの裏面側に、導光板や拡散シート等の光学フィルムを貼り合わせ、導光板の側方に光源を配置してなる液晶表示装置が開示されている。
【先行技術文献】
【特許文献】
【０００３】
【特許文献１】特開２０１５−１４７５１号公報
【特許文献２】特開２０１３−８３８０８号公報
【発明の概要】
【発明が解決しようとする課題】
【０００４】
しかしながら、各特許文献に記載された発明では、液晶表示パネルの裏面に配置された光学フィルムは気密封止されておらず、環境変化により、光学特性にばらつきが生じる問題があった。
【０００５】
本発明はかかる点に鑑みてなされたものであり、特に、安定した光学特性を備える液晶表示装置を提供することを目的とする。
【課題を解決するための手段】
【０００６】
本発明の液晶表示装置は、第１基板及び第２基板と、前記第１基板及び前記第２基板の間に配置された液晶層と、を有する液晶表示パネルと、前記液晶表示パネルの前記第２基板側に配置された裏面部材と、前記第１基板と、前記裏面部材との間を封止するシール部材と、前記第２基板と前記裏面部材との間に配置される量子ドット含有部材と、を有し、前記量子ドット含有部材は、前記シール部材により封止されていることを特徴とする。
【０００７】
本発明では、共通の前記シール部材により、前記液晶層と前記量子ドット含有部材とが、封止されていることが好ましい。
【０００８】
また、本発明の液晶表示装置は、第１基板及び第２基板と、前記第１基板及び前記第２基板の間に配置された液晶層と、を有する液晶表示パネルと、前記液晶表示パネルの前記第２基板側に配置された裏面部材と、前記第２基板と、前記裏面部材との間を封止するシール部材と、前記第２基板と前記裏面部材との間に配置される量子ドット含有部材と、を有し、前記量子ドット含有部材は、前記シール部材により封止されていることを特徴とする。
【０００９】
本発明では、前記第２基板と前記裏面部材との間には、偏光部材、光拡散部材及び輝度向上部材のうち、少なくともいずれか一つの光学部材が、前記量子ドット含有部材とともに、封止されていることが好ましい。
【００１０】
また、本発明では、前記光学部材は、少なくとも、前記偏光部材を含むことが好ましい。また、本発明では、前記偏光部材は、偏光板と、前記偏光板の表面に積層された輝度向上フィルムと、を有することが好ましい。
【００１１】
また、本発明では、前記裏面部材は、導光板であり、前記第２基板と前記導光板との間に、偏光板、及び、前記偏光板の表面に積層された輝度向上フィルムと、前記量子ドット含有部材と、を含み、前記量子ドット含有部材、前記偏光板、及び前記輝度向上フィルムが、前記シール部材により封止されていることが好ましい。
【００１２】
または、本発明の液晶表示装置は、第１基板及び第２基板と、前記第１基板及び前記第２基板の間に配置された液晶層と、を有する液晶表示パネルと、前記第１基板と、前記第２基板との間を封止するシール部材と、前記第１基板と前記２基板との間に配置される量子ドット含有部材と、を有し、前記量子ドット含有部材は、前記シール部材により封止されていることを特徴とする。
【発明の効果】
【００１３】
本発明の液晶表示装置によれば、安定した光学特性を得ることができる。
【図面の簡単な説明】
【００１４】
【図１】本発明の第１の実施の形態を示す液晶表示装置の断面図である。
【図２】本発明の第２の実施の形態を示す液晶表示装置の断面図である。
【図３】本発明の第３の実施の形態を示す液晶表示装置の断面図である。
【図４】本発明の第１の実施の形態を示す量子ドット含有シートの縦断面図である。
【図５】本発明の第２の実施の形態を示す量子ドット含有シートの縦断面図である。
【図６】本発明の第３の実施の形態を示す量子ドット含有シートの縦断面図である。
【図７】本発明の第４の実施の形態を示す量子ドット含有シートの縦断面図である。
【図８】本実施の形態の量子ドット含有シートの斜視図である。
【発明を実施するための形態】
【００１５】
以下、本発明の一実施の形態（以下、「実施の形態」と略記する。）について、詳細に説明する。なお、本発明は、以下の実施の形態に限定されるものではなく、その要旨の範囲内で種々変形して実施することができる。
【００１６】
（液晶表示装置）
図１は、発明の第１の実施の形態を示す液晶表示装置の断面図である。本実施の形態における液晶表示装置１０は、液晶表示パネル１１と、液晶表示パネル１１の裏面に配置された裏面部材１２と、液晶表示パネル１１の表面側に位置する対向基板１１ａと裏面部材１２との間を封止するシール部材１５と、液晶表示パネル１１の裏面側に位置するＴＦＴ基板１１ｂと裏面部材１２との間に配置される量子ドット含有シート１と、を必須の構成部材として備える。
【００１７】
図１に示すように、液晶表示パネル１１は、対向基板（第１基板）１１ａと、ＴＦＴ基板（第２基板）１１ｂと、対向基板１１ａとＴＦＴ基板１１ｂとの間に配置される液晶層１１ｃを封止するシール部材１５と、を有して構成される。
【００１８】
図１に示すように、対向基板１１ａの内側には、カラーフィルタ（ＣＦ）１６が設けられている。カラーフィルタ１６は、画素ごとに、赤、緑、青の各種カラーフィルタが形成されており、カラー画像が形成される。また、対向基板１１ａの裏面には、対向電極１７が形成されている。このように、対向基板１１ａは、ガラス基板の内側に、カラーフィルタ１６及び対向電極１７が形成された構造とされている。
【００１９】
また図１に示すように、ＴＦＴ基板１１ｂの内側には、画素電極１８及び薄膜トランジスタ（ＴＦＴ）が形成されている。このように、ＴＦＴ基板１１ｂは、ガラス基板の内側に、画素電極１８及びＴＦＴが形成された構造とされている。
【００２０】
図１に示すように、対向基板１１ａとＴＦＴ基板１１ｂの間に液晶層１１ｃが挟持されている。
【００２１】
図１に示す実施の形態では、液晶表示パネル１１の表面側（すなわち、対向基板１１ａ側）に、偏光板２０が設けられているが、偏光板２０を設けるか否かは任意である。
【００２２】
図１に示すように、ＴＦＴ基板１１ｂの裏面側には、偏光板２１、輝度向上シート２２、量子ドット含有シート１、及び裏面部材１２としての導光板（以下、導光板１２と称する）が積層されている。
【００２３】
輝度向上シート２２は、１つでもよいし、複数のシートが積層された構成であってもよい。例えば、輝度向上シート２２には、ＡＰＣＦやＤＢＥＦ（以上、住友スリーエム（株）製）を用いることができる。
【００２４】
また、本実施の形態では、ガラス基板、偏光板２１及び、輝度向上シート２２が一体化したＴＦＴ基板１１ｂを使用することができる。
【００２５】
図１に示すように、輝度向上シート２２と、導光板１２との間に、量子ドット含有シート１が介在されている。量子ドット含有シート１は、輝度向上シート２２及び、導光板１２と接着されていてもよいし、接着せずに、量子ドット含有シート１を、輝度向上シート２２と導光板１２との間に挟持した状態で保持してもよい。
【００２６】
なお、本実施の形態では、量子ドット含有シート１の透過率を９０％以上とすることができる。また、ＢＴ．２０２０（色域）のカバー率を９０％以上とすることができ、更に好ましくは、９５％以上とすることができる。
【００２７】
図１に示すように、対向基板１１ａと、導光板１２の各端部は、液晶表示パネル１１の液晶層１１ｃ及びＴＦＴ基板１１ｂよりも外側に延出しており、延出した対向基板１１ａ及び、導光板１２の各端部間が、シール部材１５により封止されている。
【００２８】
シール部材１５は、エポキシ等の樹脂材であるが、特に材質を限定するものではない。シール部材１５により、対向基板１１ａと導光板１２の周囲が囲まれており、これにより、液晶層１１ｃ、偏光板２１、輝度向上シート２２及び、量子ドット含有シート１が、シール部材１５により封止されている。
【００２９】
図１に示すように、シール部材１５は、ＴＦＴ基板１１ｂの端面に沿って密接しているため、液晶層１１ｃは、適切に、対向基板１１ａと、ＴＦＴ基板１１ｂとの間に保持されている。
【００３０】
図１に示す実施の形態では、共通のシール部材１５により、液晶層１１ｃ及び、量子ドット含有シート１を封止することができ、封止構造を簡略化できる。また、図１に示す各層を積層し、シール部材１５で各層を共通に封止した後、対向基板１１ａとＴＦＴ基板１１ｂとの間の空間に液晶を注入することで液晶層１１ｃを形成することができる。
【００３１】
図１に示すように、導光板１２の裏面には、バックライトユニット２５が設けられているが、光源２６（図１にて点線で示した）は、導光板１２の側方に配置されていてもよい。このとき、導光板１２の裏面には反射板（図示せず）が設けられていることが好適である。
【００３２】
図１に示す導光板１２とＴＦＴ基板１１ｂとの間には、少なくとも、量子ドット含有シート１が含まれており、導光板１２とＴＦＴ基板１１ｂとの間に、量子ドット含有シート１以外の光学部材を介在させる場合、光学部材の種類やシート数、及び積層順序等を特に限定するものではない。
【００３３】
ただし、図１に示す液晶表示装置１０の積層構造は好ましい一例であり、例えば、図１に示す輝度向上シート２２に代えて、光拡散板を配置してもよい。
【００３４】
また、図１において、シール部材１５よりも内側に、対向基板１１ａとＴＦＴ基板１１ｂとの間を接着し、液晶層１１ｃを保持するための封止層（図示せず）が設けられていてもよい。これにより、封止性をより向上させることができる。
【００３５】
図２は、本発明の第２の実施の形態を示す液晶表示装置の断面図である。図１と異なる部分について主に説明する。
【００３６】
図２では、液晶層１１ｃは、対向基板１１ａとＴＦＴ基板１１ｂとの間を接着する封止層１３により封止され、封止層１３とは別のシール部材１５が、ＴＦＴ基板１１ｂと導光板１２との間をシールしている。これにより、ＴＦＴ基板１１ｂと導光板１２の間に位置する偏光板２１、輝度向上シート２２及び、量子ドット含有シート１を、シール部材１５により封止することができる。
【００３７】
なお、導光板１２に代えて、プリズムシート、レンズシート、偏光分離シート、光拡散シート、及び、電磁遮断シート等を裏面部材として用いてもよい。導光板は、バックライトユニット２５に含まれていても良い。
【００３８】
また、バックライトユニット２５の構成を特に限定するものでなく、少なくとも光源を含む構成であればよい。すなわち、バックライトユニット２５は、光源のみを指す用語であってもよいし、或いは、光源と、それ以外の部材、例えば、拡散板、プリズムシート、導光板、及び反射板等を備える構成であってもよい。
【００３９】
また、光学部材として、位相差シートが含まれていても良い。位相差シートは、例えば、偏光板（偏光フィルム）と重ねて設けられる。
【００４０】
また、量子ドット含有シート１の位置は、特に限定されるものでなく、例えば、偏光板（偏光フィルム）と基板との間、偏光板（偏光フィルム）と拡散板との間に、量子ドット含有シート１のが設けられていてもよい。
【００４１】
なお、図２では、シール部材１５は、封止層１３よりも外側に位置しているが、シール部材１５と封止層１３との高さ位置を合わせてもよい。
【００４２】
なお、図２では、シール部材１５と、量子ドット含有シート１との間に隙間を生じているが、隙間が生じないように、シール部材１５を量子ドット含有シート１の端部に密接させることができる。
【００４３】
また、図１及び図２に示す量子ドット含有シート１は、一枚で形成されているが、例えば、所定の大きさとなるように、複数枚のシートを繋ぎ合わせてもよい。以下、複数のシートを、タイリングによって繋ぎ合わせた構成を、複合シートという。
【００４４】
ここで複合シートを図１の液晶表示装置１の量子ドット含有シート１に代えて配置するとともに、拡散板を複合シートの裏面側（すなわち、バックライトユニット２５に近い側）に配置した構成について考察する。係る構成では、バックライトユニット２５から放射されて拡散板にて拡散された光が複合シートに入射される。拡散板で拡散された光が複合シートに入射するので、バックライトユニット２５からの距離による光の強度分布が抑えられる。また、拡散板が無い場合に比べて、バックライトユニット２５と複合シートとの距離が遠くなるので、バックライトユニット２５が発する熱の、複合シートに含まれる量子ドットに対する影響が小さくなる。
【００４５】
また、バックライトユニット２５／複合シート／拡散板／液晶表示パネル１１の順に配置することもできる。これによれば、複合シートを構成する各シートの繋ぎ目において、乱反射、又は、繋ぎ目から進入した水蒸気による量子ドットの劣化などに起因する発光色のムラが生じた場合でも、液晶表示パネル１１の表示に色ムラが生じるのを適切に抑制することができる。すなわち、複合シートから放出された光は拡散板で拡散された後に、液晶表示パネル１１に入射されるので、液晶表示パネル１１の表示における色ムラが抑制ができる。
【００４６】
以上、図１、図２を用いた説明した液晶表示装置１では、液晶表示パネル１１の裏面側に配置された量子ドット含有シート１を封止することができる。よって、量子ドット含有シート１に含まれる量子ドットの経時劣化を抑制することができ、量子ドット含有シート１の波長変換特性等の光学特性のばらつきを抑制できる。したがって、本実施の形態の液晶表示装置１によれば、安定した光学特性を得ることができる。
【００４７】
特に、図１に示すように、共通のシール部材１５により、液晶層１１ｃと量子ドット含有シート１を封止することができる。これにより、簡単な封止構造を実現でき、また、製造プロセスも容易化できる。
【００４８】
図３は、本発明の第３の実施の形態を示す液晶表示装置の断面図である。図１と異なる部分について主に説明する。
【００４９】
図３に示す実施の形態では、量子ドット含有シート１が、対向基板（第１基板）１１ａと、ＴＦＴ基板（第２基板）１１ｂとの間に設けられ、封止層（シール部材）１３により封止されている。図３において、量子ドット含有シート１の位置は、対向基板１１ａと、ＴＦＴ基板１１ｂとの間に設けられる構成であれば、特に限定されるものではない。
【００５０】
以上、図３を用いた説明した液晶表示装置１においても、量子ドット含有シート１に含まれる量子ドットの経時劣化を抑制することができ、量子ドット含有シート１の波長変換特性等の光学特性のばらつきを抑制できる。したがって、本実施の形態の液晶表示装置１によれば、安定した光学特性を得ることができる。
【００５１】
また、図３において、量子ドット含有シート１は、ＴＦＴ基板１１ｂ上に配置されていてもよい。
【００５２】
また、図３においては図示していないが、バックライトユニットが、ＴＦＴ基板１１ｂの裏面側に配置されている。
【００５３】
（量子ドット含有シート）
次に、量子ドット含有シート１について説明する。図４に示すように、量子ドット含有シート１は、量子ドットが樹脂により分散されたシート状物である。
【００５４】
図８に示すように、量子ドット含有シート１は、薄い板状にて形成されており、一般的に「シート」とは、その厚さが長さ及び幅の割に小さい構成とされる。量子ドット含有シート１は可撓性の有無を問わないが可撓性であることが好適である。量子ドット含有シート１は、単にシートと呼ばれることがあり、あるいはフィルムやフィルムシートなどと呼ばれることもある。ただし本明細書において、「フィルム」とは、可撓性のあるシート物であると定義される。また、量子ドット含有シート１は一定厚で形成されていても、厚みが場所によって変形していたり、長さ方向や幅方向に向かって徐々に変化する、あるいは段階的に変化する構成であってもよい。量子ドット含有シート１の長さ寸法Ｌ、幅寸法Ｗ、及び厚さ寸法Ｔは、限定されるものでなく、製品によって種々寸法は変更される。例えば、テレビのように大型の製品のバックライト用として用いる場合もあれば、スマートフォンのように小型の携帯機器のバックライト用として用いる場合もあり、したがって製品に合わせて大きさが決定されることになる。
【００５５】
量子ドット含有シート１内には、樹脂中に、多数の量子ドットが含まれるが、量子ドット以外に蛍光顔料、蛍光染料等が含まれていてもよい。例えば、赤色の量子ドットと、緑色の通常の蛍光体（ＹＡＧやＳｉａｌｏｎ等）とを混合したものであってもよい。量子ドットを分散させる樹脂としては、ポリプロピレン、ポリエチレン、ポリスチレン、ＡＳ樹脂、ＡＢＳ樹脂、アクリル樹脂、メタクリル樹脂、ポリ塩化ビニル、ポリアセタール、ポリアミド、ポリカーボネート、変性ポリフェニレンエーテル、ポリブチレンテレフタレート、ポリエチレンテレンテレフタレート、ポリサルフォン、ポリエーテルサルフォン、ポリフェニレンサルファイド、ポリアミドイミド、ポリメチルペンテン、液晶ポリマー、エポキシ樹脂、フェノール樹脂、ユリア樹脂、メラミン樹脂、エポキシ樹脂、ジアリルフタレート樹脂、不飽和ポリエステル樹脂、ポリイミド、ポリウレタン、シリコーン樹脂、スチレン系熱可塑性エラストマー又は、これらのいくつかの混合物等も含めることができる。
【００５６】
量子ドットの構成及び材質を限定するものではないが、例えば、本実施の形態における量子ドットは、直径が２〜数十ｎｍの半導体粒子のコアを有することができる。また、量子ドットは、半導体粒子のコアに加えて、コアの周囲を被覆するシェル部とを有することができる。半導体粒子のコアの直径は、２〜２０ｎｍであってもよいし、あるいは２〜１５ｎｍであってもよい。コアには、例えば、ＣｄＳｅが使用されるが、特に材質を限定するものでない。例えば、ＣｄＳ、ＣｄＳｅ、ＺｎＳ、ＺｎＳｅ、ＩｎＰ、ＣｄＴｅ、ＣｕＩｎＳ２、ＡｇＩｎＳ２、これらのいくつかの複合物等が使用できる。
【００５７】
量子ドットには、例えば、蛍光波長が約５２０ｎｍ（緑色）及び約６６０ｎｍ（赤色）の量子ドットが含まれている。このため、光入射面から青色の光が入射されると、量子ドットによって、青色の一部が、緑色又は赤色に変換される。これによって、光出射面から白色の光を得ることができる。
【００５８】
図４に示す量子ドット含有シート１は、単層構造であり、シート状に成形されて構成される。一方、例えば、図５に示すように、量子ドット含有シート１は、基材フィルム２の少なくとも片面に量子ドット層３が形成されたシート状物であってもよい。
【００５９】
図５に示す構成では、例えば、基材フィルム２の表面に、量子ドット層３を塗布して形成することができる。基材フィルム２を、特に限定するものではないが、光透過性、取扱い性（ハンドリング性）、及び、量子ドット層３との密着性の観点から、ＰＥＴ（ポリエチレンテレフタレート）フィルムであることが好適である。
【００６０】
本実施の形態では、図６に示すように、量子ドット含有シート１中に光散乱剤８を含有させてもよい。光散乱剤８は特に材質を限定するものでないが、ＳｉＯ２、ＢＮ、ＡｌＮ等の微粒子などを提示できる。一例として、光散乱剤８は、量子ドット含有シート１中、或いは量子ドット層３中、１〜１０ｗｔ％含まれる。
【００６１】
また図７に示す別の実施の形態では、量子ドット含有シート１中に増粘剤９が含まれている。増粘剤９の材質は特に限定されるものでないが、カルボキシビニルポリマー、カルボキシルメチルセルロース、アクリル酸メチルエステル共重合体、ベントナイト(アルミニウムシリケート)若しくはヘクトライト(マグネシウムシリケート)系添加物等を例示できる。増粘剤９を含めることで、量子ドット含有シート１及び量子ドット層３を構成する樹脂組成物を適度な粘度に調整でき、量子ドット含有シート１及び量子ドット層３を所定厚及び所定形状に形成することが容易にできる。
【００６２】
また本実施の形態では、量子ドット含有シート１中に含まれる量子ドットの分散性を向上させるために分散剤が含まれていることが好ましい。分散剤の材質を特に限定するものでないが、エポキシ樹脂系、ポリウレタン系、ポリカルボン酸塩系、ナフタレンスルホン酸塩のホルマリン縮合系ポリマー系、ポリエチレングリコール系、ポリカルボン酸の部分アルキルエステル系化合物系、ポリエーテル系、ポリアルキレンポリアミン、アルキルスルホン酸塩系、四級アンモニウム塩系、高級アルコールアルキレンオキサイド系、多価アルコールエステル系、アルキルポリアミン系、又は、ポリリン酸塩系の分散剤等を用いることができ、具体的にはビックケミー・ジャパン社製のＤＩＳＰＥＲＢＹＫ（登録商標）を例示できる。
【００６３】
また、量子ドット含有シート１の両側、或いは、片側に、バリア層が設けられていてもよい。
【００６４】
上記の実施の形態では、いずれも、量子ドット含有部材として、シート部材を例示したが、シート状に限定されるものではない。
【産業上の利用可能性】
【００６５】
本発明では、光学特性の経時変化を効果的に抑制できるので、量子ドットを有する液晶表示装置を様々な環境下で使用しても、安定した光学特性を得ることができる。
【符号の説明】
【００６６】
１  量子ドット含有シート
２  基材フィルム
３  量子ドット層
８  光散乱剤
９  増粘剤
１０  液晶表示装置
１１  液晶表示パネル
１１ａ  対向基板
１１ｂ  ＴＦＴ基板
１１ｃ  液晶層
１２  裏面部材（導光板）
１５  シール部材
１６  カラーフィルタ
２０、２１  偏光板
２２  輝度向上シート
２５  バックライトユニット
２６  光源
【図１】
2018081195.tif 000003
【図２】
2018081195.tif 000004
【図３】
2018081195.tif 000005
【図４】
2018081195.tif 000006
【図５】
2018081195.tif 000007
【図６】
2018081195.tif 000008
【図７】
2018081195.tif 000009
【図８】
2018081195.tif 000010